【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
少なくとも１種の親水性基が直接又は他の原子団を介して結合している自己分散型顔料、アンモニウムイオン、並びに、（Ａ）ポリオキシエチレンモノアルキルエーテル、及びポリオキシエチレンとポリオキシプロピレンとのブロック共重合体からなる群から選ばれる非イオン系界面活性剤、及び／又は、（Ｂ）平均分子量６００乃至２，０００のポリエチレングリコール、炭素数６のα，ω−アルカンジオール、及びイミダゾリジノン誘導体からなる群から選ばれる化合物を含有してなる第１のインクと、
顔料、酸価が１６０ｍｇＫＯＨ／ｇ以下の樹脂、及びアルカリ金属イオンを含有してなる第２のインクとを有することを特徴とするインクセット。
【請求項２】
前記炭素数６のα，ω−アルカンジオールが、１，６−ヘキサンジオール、２−メチル−１，５−ペンタンジオール、及び３−メチル−１，５−ペンタンジオールからなる群から選ばれるいずれかの化合物である請求項１に記載のインクセット。
【請求項３】
前記イミダゾリジノン誘導体が、エチレン尿素及びＮ，Ｎ'−ジメチルイミダゾリジノンから選ばれる請求項１又は２に記載のインクセット。
【請求項４】
前記第１のインクが、前記（Ａ）非イオン系界面活性剤及び前記（Ｂ）の化合物を共に含有してなる請求項１乃至３のいずれか１項に記載のインクセット。
【請求項５】
前記第１のインク中の、インク全質量を基準とした前記（Ａ）非イオン系界面活性剤の含有量（質量％）が、インク全質量を基準とした前記（Ｂ）の化合物の含有量（質量％）に対して、質量比率で、０．００５倍以上０．５倍以下である請求項４に記載のインクセット。
【請求項６】
前記第１のインク中の、インク全質量を基準とした前記アンモニウムイオンの濃度（ｍｏｌ／Ｌ）が、前記第２のインク中の、インク全質量を基準とした前記アルカリ金属イオンの濃度（ｍｏｌ／Ｌ）に対して、０．３３倍以上である請求項１乃至５のいずれか１項に記載のインクセット。
【請求項７】
前記第１のインク及び前記第２のインクが、インクジェット用インクである請求項１乃至６のいずれか１項に記載のインクセット。
【請求項８】
インクをインクジェット方式で吐出して記録媒体に記録を行うインクジェット記録方法において、使用するインクが、請求項１乃至７のいずれか１項に記載のインクセットを構成するインクであることを特徴とするインクジェット記録方法。
【請求項９】
インクを収容してなるインク収容部を備えたインクカートリッジにおいて、インク収容部に収容されているインクが、請求項１乃至７のいずれか１項に記載のインクセットを構成するインクであることを特徴とするインクカートリッジ。
【請求項１０】
インクを収容してなるインク収容部と、インクを吐出するための記録ヘッドとを備えたインクジェット記録装置において、インク収容部に収容されているインクが、請求項１乃至７のいずれか１項に記載のインクセットを構成するインクであることを特徴とするインクジェット記録装置。
【手続補正２】
【補正対象書類名】明細書
【補正対象項目名】発明の名称
【補正方法】変更
【補正の内容】
【発明の名称】インクセット、インクジェット記録方法、インクカートリッジ及びインクジェット記録装置
【手続補正３】
【補正対象書類名】明細書
【補正対象項目名】０００１
【補正方法】変更
【補正の内容】
【０００１】
本発明は、インクセット、インクジェット記録方法、インクカートリッジ及びインクジェット記録装置に関する。
【手続補正４】
【補正対象書類名】明細書
【補正対象項目名】００１３
【補正方法】変更
【補正の内容】
【００１３】
したがって、本発明の目的は、自己分散型顔料とアンモニウムイオンとを含有するインクと、顔料、特定の酸価の樹脂及びアルカリ金属イオンを含有するインクと、をインクジェット記録装置に搭載して画像を形成した場合に生じるヨレ現象を解明することにある。さらに、本発明の目的は、このヨレ現象の発生を抑制することができるインクセット、インクジェット記録装置、インクカートリッジ及びインクジェット記録装置を提供することにある。
【手続補正５】
【補正対象書類名】明細書
【補正対象項目名】００１４
【補正方法】変更
【補正の内容】
【００１４】
上記目的は、以下の本発明によって達成される。すなわち、本発明は、少なくとも１種の親水性基が直接又は他の原子団を介して結合している自己分散型顔料、アンモニウムイオン、並びに、（Ａ）ポリオキシエチレンモノアルキルエーテル及びポリオキシエチレンとポリオキシプロピレンとのブロック共重合体からなる群から選ばれる非イオン系界面活性剤、及び／又は、（Ｂ）平均分子量６００乃至２，０００のポリエチレングリコール、炭素数６のα，ω−アルカンジオール、及びイミダゾリジノン誘導体からなる群から選ばれる化合物を含有してなる第１のインクと、顔料、酸価が１６０ｍｇＫＯＨ／ｇ以下の樹脂、及びアルカリ金属イオンを含有してなる第２のインクを有することを特徴とするインクセットである。
【手続補正６】
【補正対象書類名】明細書
【補正対象項目名】００１７
【補正方法】削除
【補正の内容】
【手続補正７】
【補正対象書類名】明細書
【補正対象項目名】００１９
【補正方法】変更
【補正の内容】
【００１９】
本発明によれば、本発明で課題とする複数のインクを使用して画像を形成した際に生じるヨレ現象の発生を抑制できるインクセット、インクジェット記録装置、インクカートリッジ及びインクジェット記録装置が提供される。
【手続補正８】
【補正対象書類名】明細書
【補正対象項目名】００８３
【補正方法】変更
【補正の内容】
【００８３】
以下、実施例、参考例及び比較例を用いてさらに具体的に説明するが、本発明は、その要旨を超えない限り、これらに限定されるものではない。なお、以下の記載で「部」又は「％」とあるものは、特に断りのない限り質量基準である。
【手続補正９】
【補正対象書類名】明細書
【補正対象項目名】００８７
【補正方法】変更
【補正の内容】
【００８７】
＜インクの調製＞
上記で調製した顔料分散液Ａを用い、自己分散型顔料及びアンモニウムイオンを含有するＢＫ１−１〜ＢＫ１−２９を調製し、実施例、参考例及び比較例で用いる第１のインクとした。また、上記で調製した顔料分散液Ｂと樹脂水溶液Ｃとを用い、樹脂及びアルカリ金属イオンを含有するＢＫ２−１及びＢＫ２−２を調製し、実施例、参考例及び比較例で用いる第２のインクとした。表１〜表７に示す各成分をそれぞれ混合し、十分に撹拌処理した後、ポアサイズ２．５μｍのミクロフィルター（ポール製）にて加圧ろ過して各インクを得た。得られたＢＫ１−１〜ＢＫ１−２９中のアンモニウムイオン濃度は０．０３７ｍｏｌ／Ｌであり、ＢＫ２−１及びＢＫ２−２中のアルカリ金属イオン濃度は、０．１１ｍｏｌ／Ｌであった。なお、表１〜表７中、ポリエチレングリコールに付した数値（４００、６００、１，０００、２，０００、及び４，０００）は、それぞれ平均分子量を示す。また、ポリオキシエチレンセチルエーテルは、ポリオキシエチレンの繰り返し数２０の非イオン系界面活性剤である。また、プルロニックＦ６８（アデカ製）は、ポリオキシエチレンとポリオキシプロピレンのブロック共重合体であり、ポリオキシエチレンとポリオキシプロピレンの組成比（質量比）が４：１の非イオン系界面活性剤である。また、アセチレノールＥ１００（川研ファインケミカル製）は、アセチレングリコールにポリオキシエチレンが付加した非イオン系界面活性剤である。
【手続補正１０】
【補正対象書類名】明細書
【補正対象項目名】００９１
【補正方法】変更
【補正の内容】
【００９１】
2009001775.tif 000001
【手続補正１１】
【補正対象書類名】明細書
【補正対象項目名】００９５
【補正方法】変更
【補正の内容】
【００９５】
＜評価＞
［記録耐久性］
〔ヨレ現象の評価〕
先に調製した第１のインク及び第２のインクを用いて、下記表８に示したようにそれぞれ組み合わせて実施例、参考例及び比較例のインクセットとした。これらのインクセットを用い、ＰＰＣ用紙オフィスプランナー（キヤノン製）に、下記の記録装置を用い、下記のようにして画像を形成して各インクセットの評価を行った。この際、記録装置には、記録信号に応じた熱エネルギーをインクに付与することによりインクを吐出するオンデマンド型記録ヘッドを有するインクジェット記録装置ＰＩＸＵＳ  ＰＲＯ９０００（キヤノン製）を用いた。そして、当該装置のグリーンのポジションに第１のインクＢＫ１を、レッドのポジションに第２のインクＢＫ２を装着し、下記のようにして評価を行った。なお、試験に使用したインクジェット記録装置においては、グリーンインクを吐出する吐出口列とレッドインクを吐出する吐出口列とは、同一の吸引キャップで同時に吸引回復動作を行う構成となっている。
【手続補正１２】
【補正対象書類名】明細書
【補正対象項目名】００９９
【補正方法】変更
【補正の内容】
【００９９】
2009001775.tif 000002